(57)【特許請求の範囲】
【請求項１】
外装ケースの底板上に架台を介して載置した缶体と、その缶体に組み付けられたバーナとを備えた給湯器付風呂釜において、前記架台は、間隔をおいて向き合うように立設された側板と、その側板の上に載置した天板からなり、側板の端部を外装ケースの内部に向け水平に折り曲げて内フランジ部を形成し、内フランジ部を介して側板を外装ケースの底板に立設固定するとともに、側板と外装ケースとをビス等で固定し、前記架台の内部空間には浴槽に接続される往き管と戻り管とを外装ケース及び側板を貫通して収容し、往き管と戻り管はその末端部近傍で分岐され、外装ケースの前面側と後面側とに継手部を備えたものであって、外装ケースの前面側と後面側とに往き管と戻り管とを貫通させ、外装ケース内部の往き管及び戻り管の両端部から接続金具を介して側板を外装ケースに挟み込むようにして配管を支持させた後に、天板を取り付けるようにしたことを特徴とする給湯器付風呂釜。
【発明の詳細な説明】
【０００１】
【発明の属する技術分野】
本発明は、外装ケース内に、缶体やバーナ、風呂配管、給湯配管等の内部設備を収容、固定した給湯器付風呂釜に関する。
【０００２】
【従来の技術】
図３は気泡機能を備えた給湯器付風呂釜１の全体構成図である。缶体２内には給湯用熱交換器３、風呂用熱交換器４が配設されており、缶体２にはバーナ６及び送風ファン７が組み付けられ、缶体上面には排熱口５が開口されている。
給湯用熱交換器３には給水路１４及び給湯路１５が接続されている。フィルタ１７を通って給水路１４から導入された水（市水）は、水量センサ１８を介して缶体２に供給され、バーナ６の燃焼中においては給湯用熱交換器３で加熱され、給湯用熱交換器３から給湯路１５へ送り出される。そして、水比例弁１９を備えたバイパス路１６を流れる水と混合された後、水量サーボ弁２０を介してミキシング管２５へ供給され、給湯栓２４等から出湯される。
【０００３】
風呂用熱交換器４の入口側には風呂入水管３３が接続され、浴槽４７の循環金具４８に接続された戻り管３２を介して浴槽４７の湯が導かれる。風呂用熱交換器４で加熱された湯は、風呂出湯管３４から往き管３５、循環金具４８を介して再び浴槽に供給される。
戻り管３２、風呂入水管３３、風呂用熱交換器４、風呂出湯管３４および往き管３５は追い焚き回路を構成しており、ミキシング管２５から分岐された分岐管２６はバキュームブレーカ２７、落とし込み水電磁弁２８、水量センサ２９、逆止弁３０および接続管３１を経て追い焚き回路の往き管３５につながっている。風呂入水管３３と戻り管３２とは三方弁４２を介して接続され、戻り管３２には水位センサ３８、循環ポンプ３９、風呂水流スイッチ４０及びサーミスタ等の湯温センサ４１が設けられている。また、循環金具４８にはエア電磁弁４６を備えたエア管４５が接続されており、エア管４５は往き管３５に連通している。
【０００４】
エア電磁弁４６を開いて往き管３５から湯を噴出させることにより、気泡を含んだ湯が循環金具４８から噴出される気泡運転を行うことができるが、エア電磁弁４６が開放されているとき、エア管４５に浴槽４７の湯が逆流し、エア電磁弁４６から噴出するのを防止するため、給湯器付風呂釜１内において、エア電磁弁４６を浴槽４７のあふれ縁４９より高い位置に設ける必要がある。
また、この種の給湯器付風呂釜においては、雑水回路である浴槽４７と上水回路である分岐管２６、ミキシング管２５、給湯路１５および給水路１４から構成される給湯回路とを接続するにあたり、浴槽４７のあふれ縁４９から３０ｃｍ以上立ち上げたところにバキュームブレーカ２７を設け、上水回路への雑水の逆流を防止している。
【０００５】
そして、給湯器付風呂釜１内におけるエア電磁弁４６とバキュームブレーカ２７の上記のような設置位置の制約にともなう器具内部の配管の複雑化を避けるため、図４（ｂ）に示すように、缶体２を架台５２を介して外装ケース５６の底板５４に載置することで、給湯回路および追い焚き回路を構成する配管やバーナ６、送風ファン７等の内部設備の設置位置を高くしている。
【０００６】
また、浴槽４７に近接して設置される給湯器付風呂釜１において、浴槽４７の循環金具４８に接続される往き管３５と戻り管３２を直接外装ケース５６に取り付けて支持するには、強度が不足するという問題があるため、配管ステー６１を介して取付け、支持するようになっている。
往き管３５と戻り管３２は、その末端部近傍で分岐され、外装ケース５６の前面側と後面側とに継手部６２を備えているので、施工現場の状況に応じていずれの方向からでも浴槽４７に接続できる。もちろん、施工終了後は、使用しない継手部６２はキャップ等で閉塞しておくことは言うまでもない。
【０００７】
【本発明が解決しようとする課題】
ところが従来の給湯器付風呂釜においては、強度を確保するため、架台５２は図５に示すように両端部にフランジ部５３を形成した略コ字型の一体部品となっていた。したがって、製造ラインで組み付けるまで保管するのに大きなスペースを要したり、運搬時も一度に大量に運ぶことができないという問題があった。
また、図４（ａ）に示すように架台５２を底板５４に載置すると、比較的大きな空間５５が生じるが、架台５２はコ字型の一体部品であるため、他の部品を組み付けたり、収容したりするためのスペースとして利用することが作業上困難であり、この空間が無駄になるばかりか、器具内部における各種部品のレイアウトも制約を受け、器具全体の小型化を図る上で障害となっていた。
本発明は、上記従来の課題を解決し、強度を確保しながらコンパクトで扱いやすく、底板との間に生じる空間も有効に利用できる架台を備えた給湯器付風呂釜の提供を目的とする。
【０００８】
【課題を解決するための手段】
上記目的を達成するために、本発明の給湯器付風呂釜は、外装ケースの底板上に架台を介して載置した缶体と、その缶体に組み付けられたバーナとを備えた給湯器付風呂釜において、前記架台は、間隔をおいて向き合うように立設された側板と、その側板の上に載置した天板からなり、側板の端部を外装ケースの内部に向け水平に折り曲げて内フランジ部を形成し、内フランジ部を介して側板を外装ケースの底板に立設固定するとともに、側板と外装ケースとをビス等で固定し、前記架台の内部空間には浴槽に接続される往き管と戻り管とを外装ケース及び側板を貫通して収容し、往き管と戻り管はその末端部近傍で分岐され、外装ケースの前面側と後面側とに継手部を備えたものであって、外装ケースの前面側と後面側とに往き管と戻り管とを貫通させ、外装ケース内部の往き管及び戻り管の両端部から接続金具を介して側板を外装ケースに挟み込むようにして配管を支持させた後に、天板を取り付けるようにしたことを特徴とする。
【００１３】
請求項１の給湯器付風呂釜によれば、外装ケースの底板上に架台を介して載置した缶体と、その缶体に組み付けられたバーナとを備えた給湯器付風呂釜において、前記架台は、間隔をおいて向き合うように立設された側板と、その側板の上に載置した天板からなり、側板の端部を外装ケースの内部に向け水平に折り曲げて内フランジ部を形成し、内フランジ部を介して側板を外装ケースの底板に立設固定するとともに、側板と外装ケースとをビス等で固定し、前記架台の内部空間には浴槽に接続される往き管と戻り管とを外装ケース及び側板を貫通して収容し、往き管と戻り管はその末端部近傍で分岐され、外装ケースの前面側と後面側とに継手部を備えたものであって、外装ケースの前面側と後面側とに往き管と戻り管とを貫通させ、外装ケース内部の往き管及び戻り管の両端部から接続金具を介して側板を外装ケースに挟み込むようにして配管を支持させた後に、天板を取り付けるようにしたことにより、配管を収納、支持するための配管ステーが不要となり、部品点数および製造コストの低減、器具の小型化を図ることができるとともに、配管ステーが無くなり、器具内部に部品をレイアウトする上で自由度が増す。
【００１４】
【発明の実施の形態】
図１は本発明の給湯器付風呂釜の全体図を示し、（ａ）は架台と外装ケースとの関係を示す側面図、（ｂ）は内部設備の設置状態の概略を示す正面図、（ｃ）は風呂配管を支持させた架台の側面図、図２は本発明の架台の斜視図、図３は給湯器付風呂釜の全体構成図である。
【００１５】
給湯器付風呂釜の全体構成については図３に示した通りであり、前述した従来のものと同様であるので、ここでは詳しい説明は省略する。
本発明の給湯器付風呂釜の内部設備の設置状態の概略を図１に示す。
図１（ｂ）に示すように、外装ケース５６の底板５４の上に、架台７０が設置され、架台７０には送風ファン７、バーナ６が横向きに組み付けられた缶体２が載置されている。
架台７０は、図２に示すように、間隔をおいて向き合うように立設されたコ字型の側板７２と、その上に載置された天板７１とから構成され、内フランジ部７３を介して底板５４に固定される。そして、図１（a）に示すように、側板７２を底板５４の短手方向の両端部に立設し、ビス７４によって外装ケース５６と締結、固定することにより、架台７０と外装ケース５６とが互いに補強される。
また、ここでは側板７２を向かい合わせに２面設けたが、側板を追加して３面、４面としてもよく、さらに、天板７１の端部を延長して側板７２に沿って折り曲げ、外装ケース５６と側板７２、天板７１をビス７４で共締めするようにすれば、架台７０はより強度が増す。
もちろん、側板７２と外装ケース５６との締結、固定手段はビスに限られるものではなく、かしめ、スポット溶接等の手段を用いてもよい。
【００１６】
図１（ｃ）に示すように、架台７０の内部空間には浴槽４７へ接続される往き管３５と戻り管３２とが収容、支持されている。これにより、従来の配管ステー６１が不要となり、代わりに循環ポンプ３９等の比較的大きな部品を配置することも可能で、器具内部における部品のレイアウトの自由度が増すとともに、器具全体を小型化することもできる。
また、架台７０は、側板７２と天板７１とから構成されているので、外装ケ−ス５６の前面側と後面側とに分岐した往き管３５と戻り管３２とを、それぞれの両端部から挟み込むようにして側板７２に配管を支持させた後に、天板７１を取り付けるようにすれば、作業も比較的容易である上、側板７２をビス７４により外装ケース５６と締結、固定するので、配管を支持させるのに十分な強度を確保することができる。なお、往き管３５と戻り管３２とは、接続金具７５を介して側板７２に固定、支持される。
架台７０の内部空間には、往き管３５と戻り管３２以外にも他の部品を収容するようにしても良い。
往き管３５と戻り管３２は、その末端部近傍で分岐され、外装ケース５６の前面側と後面側とに継手部６２を備えているので、施工現場の状況に応じていずれの方向からでも浴槽４７に接続できる。もちろん、施工終了後は、使用しない継手部６２はキャップ等で閉塞しておくことは言うまでもない。
【００１７】
【発明の効果】
請求項１の給湯器付風呂釜によれば、外装ケースの底板上に架台を介して載置した缶体と、その缶体に組み付けられたバーナとを備えた給湯器付風呂釜において、前記架台は、間隔をおいて向き合うように立設された側板と、その側板の上に載置した天板からなり、側板の端部を外装ケースの内部に向け水平に折り曲げて内フランジ部を形成し、内フランジ部を介して側板を外装ケースの底板に立設固定するとともに、側板と外装ケースとをビス等で固定し、前記架台の内部空間には浴槽に接続される往き管と戻り管とを外装ケース及び側板を貫通して収容し、往き管と戻り管はその末端部近傍で分岐され、外装ケースの前面側と後面側とに継手部を備えたものであって、外装ケースの前面側と後面側とに往き管と戻り管とを貫通させ、外装ケース内部の往き管及び戻り管の両端部から接続金具を介して側板を外装ケースに挟み込むようにして配管を支持させた後に、天板を取り付けるようにしたことにより、配管を収納、支持するための配管ステーが不要となり、部品点数および製造コストの低減、器具の小型化を図ることができるとともに、配管ステーが無くなり、器具内部に部品をレイアウトする上で自由度が増すという効果が得られる。
【図面の簡単な説明】
【図１】本発明の給湯器付風呂釜の全体図を示し、（ａ）は架台と外装ケースとの関係を示す側面図、（ｂ）は内部設備の設置状態の概略を示す正面図、（ｃ）は風呂配管を支持させた架台の側面図である。
【図２】本発明の給湯器付風呂釜における架台の斜視図である。
【図３】給湯器付風呂釜の全体構成図である。
【図４】従来の給湯器付風呂釜の全体図を示し、（ａ）は架台と外装ケースとの関係を示す側面図、（ｂ）は内部設備の設置状態の概略を示す正面図、（ｃ）は風呂配管を支持させた配管ステーの側面図である。
【図５】従来の給湯器付風呂釜における架台の斜視図である。
【符号の説明】
１    給湯器付風呂釜
２    缶体
３    給湯用熱交換器
４    風呂用熱交換器
６    バーナ
１４  給水路
１５  給湯路
３２  戻り管
３５  往き管
４５  エア管
４６  エア電磁弁
４７  浴槽
５２  架台
５４  底板
５６  外装ケース
６１  配管ステー
７０  架台
７１  天板
７２  側板
【図１】
0003722333.tif 000002
【図２】
0003722333.tif 000003
【図３】
0003722333.tif 000004
【図４】
0003722333.tif 000005
【図５】
0003722333.tif 000006